(57)【要約】【課題】本発明は、エンジン冷間時における触媒活性化促進を図る火花点火式直噴エンジンにおいて、燃料噴射による噴霧が、できるだけ点火プラグの近傍に滞留するように設定して、常に燃焼状態を安定させつつ、通常時における均質燃焼時等の燃焼効率も高めることができる火花点火式直噴エンジンを提供することを目的とする。【解決手段】圧縮行程での燃料噴射（二回目の燃料噴射Ｆ２）では、最上部の第一噴口４０ａから噴射された第一噴霧Ｇａがピストン冠面３０の凹状キャビティ３４を指向するように設定されている。第二噴霧Ｇｂや第三噴霧Ｇｃは、凹状キャビティ３４手前の傾斜面３１ａ（具体的には受け面３７）に指向するように設定されている。そして、受け面３７に衝突して勢いが弱まった第二噴霧Ｇｂと第三噴霧Ｇｃは、第一噴霧Ｇａが通過した後に発生する負圧によって、凹状キャビティ３４内に引き込まれる。【選択図】図６
2010024917.tif 000002
【特許請求の範囲】
【請求項１】
燃焼室天井壁の周縁には、斜め下方に複数の噴霧を噴射する多噴口を設けたインジェクタを備え、燃焼室天井壁の中央部には点火プラグを備え、ピストン冠面には前記点火プラグに対応する凹状のキャビティを備えた火花点火式直噴エンジンであって、
前記キャビティの反インジェクタ側には、キャビティに向かって噴射された噴霧を燃焼室天井壁側に指向させるガイド面を形成しており、
前記キャビティのインジェクタ側のピストン冠面には、ペントルーフ状の斜面を形成しており、
前記インジェクタには、各噴口から噴射される複数の噴霧のうち、上側の第１噴霧が平面視で前記キャビティに指向して圧縮行程後半の所定時期にキャビティに入るように噴口の向きが設定された第１噴口と、
前記第１噴霧の下側に位置する第２噴霧を形成する第２噴口との少なくとも二つの噴口を設けており、
エンジン冷間の運転領域において、前記第１噴霧が、前記キャビティのガイド面に衝突して、燃焼室天井壁側に指向する一方、前記第２噴霧が前記ペントルーフ状の斜面に衝突すると共に、第１噴霧の通過によって発生した負圧によってキャビティ内に吸込まれるように、燃料噴射時期を前記所定時期に設定した
火花点火式直噴エンジン。
【請求項２】
前記所定時期を、噴射終了時点が圧縮行程の３／４を経過した時期に設定した
請求項１記載の火花点火式直噴エンジン。
【請求項３】
前記第２噴霧の噴射エリアの少なくとも一部が、平面視でキャピティと重なるように設定した
請求項１又は２記載の火花点火式直噴エンジン。
【請求項４】
前記第２噴霧の噴霧量が、前記第１噴霧の噴霧量よりも多くなるように設定した
請求項１〜３いずれか記載の火花点火式直噴エンジン。
【請求項５】
前記凹状のキャビティのガイド面側周縁の高さを、インジェクタ側周縁の高さよりも高く設定した
請求項１〜４いずれか記載の火花点火式直噴エンジン。
【請求項６】
前記燃料噴射を、吸気行程と圧縮行程の少なくとも２分割で行い、
前記点火プラグの点火時期を、上死点後に設定した
請求項１〜５いずれか記載の火花点火式直噴エンジン。
【発明の詳細な説明】
【技術分野】
【０００１】
この発明は、火花点火式直噴エンジンに関し、特に、エンジン冷間時における触媒活性化促進を図る火花点火式直噴エンジンに関する。
【背景技術】
【０００２】
従来より、燃費向上を図る等のため、燃料を直接筒内に噴射する直噴エンジンが採用されている。こうした直噴エンジンによると、圧縮比を高くでき、エンジン効率を高めることができ、また、吸入吸気量に関わらず燃料噴射量を自由に調整できる。
【０００３】
一方で、近年では、排気ガスのエミッション規制も強化されており、触媒の早期活性化を図ることも求められている。こうした触媒の早期活性化のためには、排気ガス温度を早期に昇温させることが必要であり、点火タイミングをできるだけ遅角することで、排気ガス温度を高めることが考えられる。
【０００４】
しかし、点火タイミングを大幅に遅角させると、燃焼安定性が悪化してしまうため、この燃焼安定化を確保した上で、点火タイミングを遅角する技術が求められていた。
【０００５】
そこで、下記特許文献１では、燃料噴射を、上死点を跨ぐタイミングで行なう主噴射と、吸気行程等のタイミングで行なう早期噴射の、前後二回に分けて行い、点火タイミングを上死点よりも大幅に遅角して、燃焼を行なうエンジン装置が提案されている。
【０００６】
このように、燃料噴射を予め吸気行程等のタイミングで行うことにより、噴射された燃料を、主噴射の噴射前に筒内に拡散させておけるため、主噴射の噴霧に点火されて、燃焼が開始したときには、筒内全体に相対的に緩慢な燃焼を生じさせることができ、燃焼を安定的に生じさせることができるのである。
【０００７】
すなわち、筒内の状態を、点火プラグ周りに濃い混合気を位置させてその周囲には空気だけとする、いわゆる「成層状態」から、その周囲にも薄い混合気を位置させる、いわゆる「弱成層状態」にすることで、エンジンの燃焼状態を安定させるのである。
【０００８】
なお、この特許文献１にも記載されているように、燃料を噴射するインジェクタは、マルチホール型インジェクタを用いることが考えられる。このマルチホール型インジェクタを用いたエンジンの先行技術としては、下記特許文献２のエンジン等が知られている。
【０００９】
この特許文献２のエンジンでは、ピストン冠面に設けた凹部内に燃料の噴霧を行なうことで、成層燃焼のロバスト性を高めると共に、均質燃焼領域での気化霧化を促進するようにしている。
【００１０】
さらに、特許文献３には、エンジン冠面の凹部を、点火プラグの点火点を中心とした球曲面に形成したものが開示されている。このように凹部を球曲面にすることで、燃焼室を略球面形状とすることができ、常に均一かつ良好な燃焼状態を維持することができる。
【特許文献１】特開２００６−２５００５０号公報
【特許文献２】特開２００７−０９２６９３号公報
【特許文献３】特開２００７−１５４８２７号公報
【発明の開示】
【発明が解決しようとする課題】
【００１１】
ところで、特許文献１のエンジン装置においては、主噴射を筒内圧が最も高い上死点を跨ぐタイミングで行なう必要があるため、インジェクタの噴射圧を極めて高くする必要が生じる。そして、点火プラグに向けて燃料を噴射するため、噴射された高圧の噴霧が、ちょうど点火プラグに達した際に、点火タイミングを一致させて、燃焼を生じさせる必要がある。
【００１２】
しかし、このように、高圧のインジェクタの燃料噴射を、点火プラグに向けて行なうと、点火タイミングの時間管理が極めて大事になり、点火タイミングが少しでもズレると、燃焼状態が悪化するという問題が生じる。特に、エンジン冷間時においては、燃料の粘性も高いため、この点火タイミングを常に一定に維持することは困難である。
【００１３】
また、特許文献１のように、燃料噴射を点火プラグ側に向けて噴射すると、通常時の均質燃焼領域の際などに、筒内の下側に燃料を噴射できないため、全筒内で均質に燃料を噴射することができず、均質燃焼の時に、燃焼効率が悪化するという問題がある。
【００１４】
なお、特許文献２は、そもそも冷間時の触媒の早期活性化について、対策を図るものではないため、前述の特許文献１の問題点を対策することはできない。  
また、特許文献３も、冷間時の触媒の早期活性化を図ろうとするものでないため、同様に、特許文献１の問題点について対策することはできない。
【００１５】
そこで、本発明は、エンジン冷間時における触媒活性化促進を図る火花点火式直噴エンジンにおいて、燃料噴射による噴霧が、できるだけ点火プラグの近傍に滞留するように設定して、常に燃焼状態を安定させつつ、通常時における均質燃焼時等の燃焼効率も高めることができる火花点火式直噴エンジンを提供することを目的とする。
【課題を解決するための手段】
【００１６】
この発明の火花点火式直噴エンジンは、燃焼室天井壁の周縁には、斜め下方に複数の噴霧を噴射する多噴口を設けたインジェクタを備え、燃焼室天井壁の中央部には点火プラグを備え、ピストン冠面には前記点火プラグに対応する凹状のキャビティを備えた火花点火式直噴エンジンであって、前記キャビティの反インジェクタ側には、キャビティに向かって噴射された噴霧を燃焼室天井壁側に指向させるガイド面を形成しており、前記キャビティのインジェクタ側のピストン冠面には、ペントルーフ状の斜面を形成しており、前記インジェクタには、各噴口から噴射される複数の噴霧のうち、上側の第１噴霧が平面視で前記キャビティに指向して圧縮行程後半の所定時期にキャビティに入るように噴口の向きが設定された第１噴口と、前記第１噴霧の下側に位置する第２噴霧を形成する第２噴口との少なくとも二つの噴口を設けており、エンジン冷間の運転領域において、前記第１噴霧が、前記キャビティのガイド面に衝突して、燃焼室天井壁側に指向する一方、前記第２噴霧が前記ペントルーフ状の斜面に衝突すると共に、第１噴霧の通過によって発生した負圧によってキャビティ内に吸込まれるように、燃料噴射時期を前記所定時期に設定したものである。
【００１７】
上記構成によれば、圧縮行程の所定時期に、第１噴霧がキャビティのガイド面に衝突して燃焼室の天井壁側に向かうように設定しつつも、第２噴霧がペントルーフ状の斜面に衝突した後に第１噴霧の通過によって発生した負圧によって、キャビティ内に引き込まれるように、燃料を噴射することになる。  
このため、第１噴霧のみならず、第２噴霧も、確実にキャビティ内に入れることができ、その後のピストンの上昇によって、点火プラグ周りに多くの噴霧（濃い混合気）を滞留させることができる。また、燃料噴射が斜め下向きに行われるため、通常時の均質燃焼の際にも、全筒内に燃料を均等に噴射することができる。
【００１８】
この発明の一実施態様においては、前記所定時期を、噴射終了時点が圧縮行程の３／４を経過した時期に設定したものである。  
上記構成によれば、上死点前の圧縮行程の最も後半時期（圧縮行程の３／４）に燃料噴射が終了することになる。  
このため、ピストンが上死点近傍に位置するときに燃料を噴射することになり、第１噴霧と第２噴霧を、キャビティのガイド面やペントルーフの傾斜面に衝突させやすくなり、キャビティ内に確実に噴霧を入れることができる。  
よって、より効果的に点火プラグ周りに噴霧を滞留させることができる。
【００１９】
この発明の一実施態様においては、前記第２噴霧の噴射エリアの少なくとも一部が、平面視でキャピティと重なるように設定したものである。  
上記構成によれば、第２噴霧の噴射エリアの少なくとも一部が、平面視でキャビティと重なることで、第２噴霧がキャビティに入り易くなる。  
よって、第１噴霧の通過によって生じる負圧の効果をより良く得ることができて、より効果的に点火プラグ周りに噴霧を滞留させることができる。
【００２０】
この発明の一実施態様においては、前記第２噴霧の噴霧量が、前記第１噴霧の噴霧量よりも多くなるように設定したものである。  
上記構成によれば、第２噴霧の噴霧量が、引き込みのために用いられる第１噴霧よりも多いため、キャビティ内に引き込まれる噴霧量を確実に増加させることができる。  
よって、点火プラグに近接して滞留する噴霧量を増加させることができ、より効果的に点火プラグ周りに噴霧を滞留させることができる。
【００２１】
この発明の一実施態様においては、前記凹状のキャビティのガイド面側周縁の高さを、インジェクタ側周縁の高さよりも高く設定したものである。  
上記構成によれば、キャビティのガイド面側周縁の高さがインジェクタ側周縁の高さよりも高いため、第１噴霧がキャビティに入り易く、ガイド面に衝突し易くなる。また、第２噴霧もキャビティ内に引き込み易くなり、留め易くなる。  
よって、キャビティ内により多くの噴霧量を滞留させることができ、より効果的に点火プラグ周りに噴霧を滞留させることができる。
【００２２】
この発明の一実施態様においては、前記燃料噴射を、吸気行程と圧縮行程の少なくとも２分割で行い、前記点火プラグの点火時期を、上死点後に設定したものである。  
上記構成によれば、燃料噴射を吸気行程と圧縮行程の少なくとも２分割で行なうことで、筒内の混合気の状態を、弱成層化することができる。また、上死点後に点火を行なうことで、排気ガスの温度を高めることができる。  
よって、より安定的な燃焼を得つつ、排気系の昇温を図ることができ、触媒の活性化を図ることができる。
【発明の効果】
【００２３】
この発明によれば、第１噴霧のみならず、第２噴霧もキャビティ内に入れることができ、ピストンの上昇によって、点火プラグ周りに多くの噴霧（濃い混合気）を滞留させることができる。また、燃料噴射が斜め下向きに行われるため、通常時の均質燃焼の際にも、全筒内に燃料を均等に噴射することができる。  
よって、エンジン冷間時における触媒活性化促進を図る火花点火式直噴エンジンにおいて、燃料噴射による噴霧が、できるだけ点火プラグの近傍に滞留するように設定して、常に燃焼状態を安定させつつ、通常時における均質燃焼時の燃焼効率も高めることができる。
【発明を実施するための最良の形態】
【００２４】
以下、図面に基づいて本発明の実施形態について詳述する。  
図１は本発明を採用した実施形態の火花点火式直噴エンジンの概略構成図である。  
この図１に示すように、このエンジンＥは、いわゆる４サイクルのレシプロエンジンであり、クランクシャフト１を回転自在に支持するシリンダブロック２と、シリンダブロック２の上部に配置されたシリンダヘッド３とで一体的に構成している。またこのシリンダブロック２とシリンダヘッド３には、複数の気筒４を設けている。
【００２５】
各気筒４には、コンロッド５を介してクランクシャフト１に連結されたピストン６と、ピストン上方に形成される燃焼室７とを設けている。
【００２６】
シリンダヘッド３の下面には、気筒毎に燃焼室７の天井壁部８を形成している。この天井壁部８は、中央部分からシリンダヘッド３下端まで延びる２つの対向する傾斜面８ａ，８ｂを有する、いわゆるペントルーフ型となっている。
【００２７】
前記燃焼室７の天井壁部８には、各々独立した２つの吸気ポート９と排気ポート１０が設けられ、吸気２弁１６、排気２弁１７の４弁構成としている。
【００２８】
燃焼室７の側縁部には、燃料供給システムに接続されているマルチホール型インジェクタ１１が斜め下方を向いて設置されている。このマルチホール型インジェクタ１１は、燃料供給システム１２がコントロールユニット１３からの燃料噴射パルスを受けることにより、このパルス幅に対応する燃料を燃焼室７に噴射するように構成されている。  
なお、このマルチホール型インジェクタ１０の詳細構造については、後述する。
【００２９】
また、各気筒４には、シリンダヘッド３に固定されて、燃焼室７内に電極を臨ませて配置される点火プラグ１４を設けている。この点火プラグ１４は、燃焼室７の略中央位置に配置している。点火プラグ１４には、電子制御による点火タイミングのコントロール可能な点火回路１５が接続されており、この点火回路１５によって制御されるようになっている。
【００３０】
各気筒４の吸気弁１６及び排気弁１７には、それぞれタペットユニット１８，１９が設けられている。このタペットユニット１８，１９は、シリンダヘッド３に設けられた動弁機構のカム軸のカム２０，２１によって、周期的に駆動されるように構成している。
【００３１】
エンジンＥの吸気ポート９には、インテークマニホールドの分岐吸気管２２が接続されている。分岐吸気管２２は気筒毎に設けられており、それぞれがインテークマニホールドに等長の吸気経路を形成した状態で接続されている。
【００３２】
次に、排気ポート１０には、各気筒に２つ一組で形成された二股状の分岐排気管２３が接続されている。各分岐排気管２３の下流側には、排気ガスの浄化を行なう触媒コンバータ２４を設置している。この触媒コンバータ２４には、触媒温度を検出する触媒温度センサ２５を設けており、活性化温度まで触媒が昇温したか否かを検出するようにしている。
【００３３】
コントロールユニット１３は、ＣＰＵ等で構成しており、図示しない入力センサ（クランク角センサ等）や前述の触媒温度センサ２５等の入力要素と、前述した燃料供給システム１２や点火回路１５等の出力要素と接続することにより、エンジンの運転状態を制御するように構成している。
【００３４】
図２はマルチホール型インジェクタとピストンと点火プラグの詳細構造を示した斜視図であり、図３は（ａ）ピストン冠面の平面図と（Ｂ）ピストン冠面のＡ−Ａ線矢視断面図である。  
図２に示すように、マルチホール型インジェクタ１１は、先端の噴射面１１ａが斜め下方に向くように設置しており、ピストン６の冠面３０側に向けて複数の噴霧Ｇを噴射するように構成している。
【００３５】
このマルチホール型インジェクタ１１の噴射面１１ａには、６つの噴口４０…を設けている。具体的には、噴射面詳細図に示すように、上段中央に第一噴口４０ａを、二段目左右両側に第二噴口４０ｂと第三噴口４０ｃを、三段目左右両端に第四噴口４０ｄと第五噴口４０ｅを、下段中央に第六噴口４０ｆを、それぞれ並ぶように設けている。
【００３６】
このように、各噴口４０…を設けることで、各噴口４０から噴射される噴霧Ｇを、斜め下方に向かって、筒内に満遍なく均等に噴射することができる。このため、通常運転時の均質燃焼時には、全筒内全てに燃料が行き渡り、効率的に燃焼させることができる。
【００３７】
また、後述するように、エンジン冷間時に、噴射タイミングを適切に制御することで、弱成層状態を筒内（４）に生成することができる。  
ここで、弱成層状態とは、点火プラグ周りの混合気の濃度を濃くして、その周囲の混合気を薄くなるように、筒内（４）の混合気比率を調整する状態をいう。
【００３８】
また、各噴口４０…は、極小の径（例えば、０．１ｍｍ程度）で形成されており、この径や向き等によって、各噴口４０…からの噴射量や指向方向が決定される。
【００３９】
この各噴口４０…の指向方向は、各噴口４０…の位置に対応して設定されており、第一噴口４０ａからの第一噴霧Ｇａが最も上方を指向して、第二噴口４０ｂからの第二噴霧Ｇｂと、第三噴口４０ｃからの第三噴霧Ｇｃがその下方で左右方向を指向して、第四噴口４０ｄからの第四噴霧Ｇｄと、第五噴口４０ｅからの第五噴霧Ｇｅがさらにその下方で左右外方側を指向して、第六噴口４０ｆからの第六噴霧Ｇｆが最も下方で中央を指向するように設定されている。なお、第一噴霧Ｇａは、図２にも示すように、点火プラグ１４の電極１４ａに燃料が付着しないように、電極１４ａよりも下方位置を指向するように設定されている。
【００４０】
この実施形態のピストン６は、ピストン冠面３０にクランク軸方向に沿って対向する一対の傾斜面３１ａ，３１ｂを有する隆起部３１を形成している。この隆起部３１の傾斜面３１ａ，３１ｂは、前述した燃焼室７のペントルーフ型の天井壁部８に沿うように、ペントルーフ形状で傾斜するように形成している。
【００４１】
また、隆起部３１の両側方には、ピストン冠面３０の基準面となる水平面部３２，３３をそれぞれ設けている。そして、この水平面部３２，３３には、吸気弁１６と排気弁１７にそれぞれ対応するように、吸気弁リセス３２ａと排気弁リセス３３ａを形成している。
【００４２】
この隆起部３１の中央には、平面視略円形の凹状キャビティ３４を形成している。この凹状キャビティ３４は、略半球面状に形成された内周面３５と、略水平面状に形成された平底面３６とを備えており、ピストン６が上死点に位置した際には、点火プラグ１４の電極１４ａを中心とした略球状の燃焼空間を構成するようにしている。
【００４３】
このように、凹状キャビティ３４を形成して、略球面状の燃焼空間を構成することで、圧縮比が極めて高いエンジンにすることができ、エンジン効率を高めることができる。
【００４４】
図３（ａ）に示すように、吸気側の傾斜面３１には、噴霧を受ける受け面３７を形成している。この受け面３７は、一段凹んだ平面視略ひょうたん形状の凹部で形成している。
【００４５】
この受け面３７の上部の一部を、凹状キャビティ３４にかかるように形成することで、図３（ｂ）に示すように、凹状キャビティ３４のインジェクタ側上縁端３４ａは、反インジェクタ側上縁端３４ｂよりも下方側に位置するように形成される。  
このため、後述するように、インジェクタ１１から噴射された噴霧（Ｇａ）が、凹状キャビティ３４内に、入り易く、且つ出にくいようになる。
【００４６】
なお、図３（ａ）に示すように、隆起部３１の凹状キャビティ３４の両側の頂部分には上面部３８，３８を形成している。この上面部３８，３８は、外側端をやや下げた傾斜面で構成している。こうすることで、ピストン６が上死点にある場合であっても、筒内（４）上部で吸気側と排気側を連通する連通空間を形成することができる。
【００４７】
次に、図４、図５、図６により、エンジン冷間時におけるエンジン運転状態（燃料噴射状態）を説明する。図４はエンジン冷間時の燃料噴射タイミングと点火タイミングのタイムチャートであり、図５は吸気行程での燃料噴射状態を示す側面図であり、図６は圧縮行程での燃料噴射状態を示す側面図である。
【００４８】
コントロールユニット１３で制御されるマルチホール型インジェクタ１１と点火プラグ１４は、エンジン冷間時には、図４のタイムチャートに示すように制御される。
【００４９】
すなわち、触媒温度センサ２５等でエンジン冷間状態を検出した際には、燃料噴射タイミングが吸気行程で１回、圧縮行程で１回の合計２回に設定され、１サイクル当りの燃料噴射が２分割で行われる。
【００５０】
具体的には、例えば、クランク角度８０度（以下、「°ＣＡ」とする）に一回目の燃料噴射Ｆ１が終了して、３２５°ＣＡに二回目の燃料噴射Ｆ２が終了するように設定している。なお、各噴射パルスの幅ｗ１，ｗ２は、各噴射タイミングにおける燃料噴射量に比例するように設定しており、この二回の燃料噴射量の合計が、ほぼ理論空燃比となるような燃料噴射量に設定している。
【００５１】
このように、二分割で燃料を噴射することにより、まず、一回目の燃料噴射Ｆ１によって、燃料を早期に筒内で気化霧化でき、その後、二回目の燃料噴射Ｆ２で、点火プラグ１４周りに、混合気の濃いリッチな層を形成できる。すなわち、このような二分割の噴射タイミングによって、筒内をいわゆる弱成層化することができるのである。
【００５２】
そして、その後、上死点（ＴＤＣ）を経過した後、３８０°ＣＡ（＝排気行程の２０°ＣＡ）で点火プラグ１４を点火している。すなわち、排気行程に入る時期まで点火タイミングＳを遅角しているのである。
【００５３】
このように、点火タイミングＳを遅角することで、エンジンの燃焼エネルギーが熱エネルギーに多く使われることになり、排気ガス温度の高いまま、排気ガスが排気側に排出されることになる。
【００５４】
このため、触媒コンデンサ２４には、温度の高い排気ガスが供給されて、早期に触媒コンデンサ２４の温度を上昇させることができ、触媒を活性化することができる。  
よって、早期に排気ガスを浄化することができる。
【００５５】
なお、点火プラグ１４の点火タイミングＳを遅角すると、燃焼状態が不安定になり、燃焼が確実に生じないおそれがある。しかし、本実施形態では、筒内を確実に弱成層化しているため、点火タイミングＳが大幅に遅角したとしても、安定した燃焼状態を得ることができる。
【００５６】
図５に示すように、吸気行程での燃料噴射（一回目の燃料噴射Ｆ１）では、最下部の第六噴口４０ｆから噴射された第六噴霧Ｇｆが、ピストン冠面３０の凹状キャビティ３４に入るように設定されている。すなわち、最も下方に指向する第六噴霧Ｇｆが、筒内４の側壁面４ａ（ライナー）に到達（付着）することなく、ピストン冠面３０に指向するように噴射されるのである。
【００５７】
このように、第六噴霧Ｇｆがピストン冠面３０を指向するように、燃料が噴射されることで、筒内４で最も温度が低い側壁面４ａ（ライナー）の下部４ａ１に、燃料が付着することがなく、吸気行程での燃料の気化霧化を促進することができる。このため、排気ガスに未燃ガスであるＨＣが含有されることを防ぐことができる。
【００５８】
また、９０°ＣＡ近傍で燃料を噴射することで、ピストンスピードが最も速く、筒内流動が最も大きい時期で、燃料を噴射することになるため、気化霧化をより促進することができる。
【００５９】
図６に示すように、圧縮行程での燃料噴射（二回目の燃料噴射Ｆ２）では、最上部の第一噴口４０ａから噴射された第一噴霧Ｇａがピストン冠面３０の凹状キャビティ３４を指向するように設定されている。すなわち、最も上方に指向する第一噴霧Ｇａが、凹状キャビティ３４の内周面３５に指向するように設定されているのである。
【００６０】
一方、第二噴霧Ｇｂや第三噴霧Ｇｃは、凹状キャビティ３４手前の傾斜面３１ａ（具体的には受け面３７）に指向するように設定されている。もっとも、このように、第二噴霧Ｇｂ、第三噴霧Ｇｃが受け面３７に指向しても、第二噴霧Ｇｂと第三噴霧Ｇｃは凹状キャビティ３４内に入ることになる。すなわち、受け面３７に衝突して勢いが弱まった第二噴霧Ｇｂと第三噴霧Ｇｃは、第一噴霧Ｇａが通過した後に発生する負圧によって、凹状キャビティ３４内に引き込まれるのである。
【００６１】
この引き込み挙動について、図７の模式図を利用して説明する。図７の（ａ）は噴射直後の側面模試図、（ｂ）はその後の側面模式図である。
【００６２】
（ａ）に示すように、第一噴霧Ｇａは、凹状キャビティ３４の略半球面状の内周面３５に、指向するように噴射される。  
このため、第一噴霧Ｇａは、（ｂ）に示すように、内周面３５の円弧状傾斜面３５ａに案内されて、上方にスムーズに反転して、点火プラグ１４側（天井壁部８側）に向かうことになる。
【００６３】
一方、（ａ）に示すように、第二噴霧Ｇｂ（第三噴霧Ｇｃ）は、受け面３７に指向するように噴射される。  
このため、第二噴霧Ｇｂ（第三噴霧Ｇｃ）は、受け面３７に衝突して勢いが弱まり、受け面３７の上方を漂うことになる。しかし、（ｂ）に示すように、第一噴霧Ｇａが通過した後には、凹状キャビティ３４内に引き込む負圧が発生しているため、第二噴霧Ｇｂ（第三噴霧Ｇｃ）は、この負圧によって、凹状キャビティ３４内に引き込まれるのである。
【００６４】
このように、第二噴霧Ｇｂと第三噴霧Ｇｃが凹状キャビティ３４に引き込まれることで、点火プラグ１４周りに、濃い混合気を多く位置させることができる。
【００６５】
そして、第一噴霧Ｇａだけでなく、第二噴霧Ｇｂや第三噴霧Ｇｃも、凹状キャビティ３４内に引き込むことで、より多くの混合気を点火プラグ１４周りに位置させることができる。
【００６６】
また、図８の噴射状態を示した平面図にも示すように、第二噴霧Ｇｂと第三噴霧Ｇｃは、傾斜面３１ａから一段凹んだ受け面３７に噴射されるため、側方側（ライナー側）に漏れることがなく、確実に凹状キャビティ３４内に案内されることになる。
【００６７】
また、この図に示すように、第二噴霧Ｇｂと第三噴霧Ｇｃの指向方向（延長線を一点鎖線で示す）を、平面視で凹状キャビティ３４に重なるように設定しているため、前述の負圧による引き込み効果をより生じ易くしている。
【００６８】
図９〜図１１は、この実施形態の噴射状態のシミュレーション図である。図９は３２５°ＣＡのシミュレーション図、図１０は３４０°ＣＡのシミュレーション図、図１１は３５０°ＣＡのシミュレーション図、図１２は３６０°ＣＡのシミュレーション図である。また、各図において、（ａ）が第一噴霧の噴射状態、（ｂ）が第二噴霧と第三噴霧の噴射状態、（ｃ）が第一噴霧の噴霧状態と第二噴霧と第三噴霧の噴霧状態を組み合わせたものである。そして、上段が平面図、下端が側面図である。また、各ドッドが噴霧の液滴である。
【００６９】
図９に示すように、噴射完了直後の３２５°ＣＡでは、（ａ）のように、第一噴霧Ｇａは、凹状キャビティ３４内に噴射される。また、第二噴霧Ｇｂと第三噴霧Ｇｃは、（ｂ）のように受け面３７に反射して上方に漂うようになっている。このため、（ｃ）のように、インジェクタ側には、多くの液滴が位置することになる。
【００７０】
図１０に示すように、その後の３４０°ＣＡでは、（ａ）のように、第一噴霧Ｇａは、凹状キャビティ３４内の内周面３５に当接して上方に案内される。また、第二噴霧Ｇｂと第三噴霧Ｇｃは、（ｂ）のように、第一噴霧Ｇａが通過した際に生じる負圧によって、凹状キャビティ３４内（図面では上方）に引き込まれる。このため、（ｃ）のように、点火プラグ１４の周りには、多くの液滴が位置することになる。
【００７１】
図１１に示すように、その後の３５０°ＣＡでは、（ａ）のように、第一噴霧Ｇａは、凹状キャビティ３４の一方側に偏る。また、第二噴霧Ｇｂと第三噴霧Ｇｃは、（ｂ）のように、凹状キャビティ３４を中心に広がる。このため、（ｃ）のように、点火プラグ１４の周りには、液滴が位置することになる。なお、図１０よりも、液滴が減少しているのは、液滴が順調に蒸発（気化）しているからである。
【００７２】
図１２に示すように、上死点の位置である３６０°ＣＡでは、（ａ）に示すように、第一噴霧Ｇａは、凹状キャビティ３４の一方側に偏った状態で気化している。また、第二噴霧Ｇｂと第三噴霧Ｇｃは、（ｂ）のように、全体に広がって気化する。このため、（ｃ）のように、液滴は、一部凹状キャビティ３４の一方側に偏った状態で位置するものの、ほとんど気化することになる。
【００７３】
図１３は、この３６０°ＣＡでの点火プラグ周りの混合気の空燃比（Ａ／Ｆ）の分布状態を示した図である。この図で、Ｒの領域は最もリッチな領域、Ｌの領域は最もリーンな領域を示している。  
この図に示すように、３６０°ＣＡにおいても、混合気の空燃比は、比較的バラついており、点火プラグ１４よりもインジェクタ側の方に、濃い混合気（Ｒ）が存在することになる。また、点火プラグ１４から離間した反インジェクタ側にも、濃い混合気（Ｒ）が存在する。そして、薄い混合気（Ｌ）が広い範囲に存在することになる。
【００７４】
一方、図１４は、点火タイミング直前の３８０°ＣＡでの点火プラグ周りの混合気の空燃比（Ａ／Ｆ）の分布状態を示した図である。  
この図に示すように、３８０°ＣＡになると、混合気の空燃比は、点火プラグ１４周りに多くのやや濃い混合気（Ｒ）が存在しつつも、全体的に混合気の空燃比は均等化されることになる。これによって、点火プラグ１４による着火性能を高めることができる。
【００７５】
以上のように、燃料を気化霧化して着火性能を高めているため、点火タイミングＳを遅らせたとしても、確実に混合気を燃焼させることができ、排気ガスの温度を高めることができる。
【００７６】
次に、このように構成した本実施形態の作用効果について説明する。  
この実施形態では、エンジン冷間時の運転領域において、第一噴霧Ｇａが、凹状キャビティ３４の内周面３５に衝突して、燃焼室７の天井壁部８側に指向する一方、第二噴霧Ｇｂと第三噴霧Ｇｃが、隆起部３１の傾斜面３１ａ（受け面３７）に衝突すると共に、第一噴霧Ｇａの通過によって発生した負圧によって凹状キャビティ３４内に吸込まれるように、燃料噴射時期を圧縮行程の後半時期に設定している。
【００７７】
このため、第一噴霧Ｇａのみならず、第二噴霧Ｇｂ、第三噴霧Ｇｃも、確実に凹状キャビティ３４内に入れることができ、その後のピストン６の上昇によって、点火プラグ１４周りに多くの噴霧（濃い混合気）を滞留させることができる。また、燃料噴射が斜め下向きに行われるため、通常時の均質燃焼の際にも、全筒内に燃料を均等に噴射することができる。
【００７８】
よって、エンジン冷間時における触媒活性化促進を図る火花点火式直噴エンジンＥにおいて、燃料噴射による噴霧ができるだけ点火プラグ１４の近傍に滞留するように設定して、常に燃焼状態を安定させつつ、通常時における均質燃焼時の燃焼効率も高めることができる。
【００７９】
なお、この実施形態の内周面３５は、略半球面状に形成しているが、単に直線状の傾斜面に形成して、第一噴霧を天井部８側に指向させるようにしてもよい。
【００８０】
また、この実施形態では、燃料噴射時期を、噴射終了時点が３４５°ＣＡとなるように設定している。  
これにより、上死点（ＴＤＣ）直前の圧縮行程の最も後半時期に、燃料噴射を終了することになる。  
このため、ピストン６が上死点（ＴＤＣ）近傍に位置するときに燃料を噴射することになり、第一噴霧Ｇａ、第二噴霧Ｇｂ、第三噴霧Ｇｃを、凹状キャビティ３４の内周面３５や隆起部３１の傾斜面３１ａに衝突させやすくなり、凹状キャビティ３４内に確実に噴霧を入れやすくなる。  
よって、より効果的に点火プラグ１４周りに噴霧を滞留させることができる。
【００８１】
また、この実施形態では、第二噴霧Ｇｂと第三噴霧Ｇｃの噴射エリアの少なくとも一部を、平面視で凹状キャビティ３４と重なるように設定している（図８参照）。  
これにより、第二噴霧Ｇｂ、第三噴霧Ｇｃが凹状キャビティ３４に入り易くなる。  
よって、第一噴霧Ｇａの通過によって生じる負圧の効果をより良く得ることができて、より効果的に点火プラグ１４周りに噴霧を滞留させることができる。
【００８２】
また、この実施形態では、第二噴霧Ｇｂと第三噴霧Ｇｃを合算した噴霧量が、第一噴霧Ｇａの噴霧量よりも多くなるように設定している。  
これにより、第二噴霧Ｇｂと第三噴霧Ｇｃの噴霧量が、引き込みのために用いられる第一噴霧Ｇａよりも多くできるため、凹状キャビティ３４内に引き込まれる噴霧量を効果的に増加させることができる。  
よって、点火プラグ１４に近接して滞留しやすい第二噴霧Ｇｂと第三噴霧Ｇｃの噴霧量を増加させることができ、より効果的に点火プラグ１４周りに噴霧を滞留させることができる。
【００８３】
また、この実施形態では、凹状キャビティ３４の反インジェクタ側の上縁端３４ｂの高さを、インジェクタ側の上縁端３４ａの高さよりも高く設定している。  
これにより、第一噴霧Ｇａが凹状キャビティ３４に入り易く、内周面３５に衝突し易くなる。また、第二噴霧Ｇｂと第三噴霧Ｇｃも凹状キャビティ３４内に引き込み易くなり、留め易くなる。  
よって、凹状キャビティ３４内により多くの噴霧量を滞留させることができ、より効果的に点火プラグ１４周りに噴霧を滞留させることができる。
【００８４】
また、この実施形態では、燃料噴射を、吸気行程と圧縮行程の少なくとも２分割（Ｆ１，Ｆ２）で行い、点火プラグ１４の点火タイミングＳを、上死点（ＴＤＣ）後に設定している。  
これにより、燃料噴射を吸気行程と圧縮行程の少なくとも２分割（Ｆ１，Ｆ２）で行なうことになり、筒内４の混合気の状態を、弱成層化することができる。また、上死点（ＴＤＣ）後に点火を行なうことで、排気ガスの温度を高めることができる。  
よって、より安定的な燃焼を得つつ、排気系の昇温を図ることができ、触媒の活性化を図ることができる。
【００８５】
次に、図１５に示す他の実施形態について説明する。図１５は、他の実施形態の図２に対応する斜視図である。なお、前述の実施形態と同一の構成要素は、同一の符号を付して説明を省略する。
【００８６】
この実施形態は、マルチホール型インジェクタ１１の噴口１４０を６つから５つに変更すると共に、ピストン６の傾斜面３１ａに設ける受け面１３７の平面視形状を、噴口１４０の数に応じて変更したものである。
【００８７】
マルチホール型インジェクタ１１の噴口１４０は、噴射面詳細図に示すように、上端中央に第一噴口１４０ａを、二段目中央に第二噴口１４０ｂを、三段目左右両側に第三噴口１４０ｃを、第四噴口１４０ｄを、下端中央に第五噴口１４０ｅを、それぞれ設けている。
【００８８】
すなわち、二段目を第二噴口１４０ｂの１つにして、噴口１４０の数を減少させると共に、二段目の噴射範囲を狭めているのである。
【００８９】
このように、噴口１４０の数を減らすことで、気筒４のボア径が小さい場合に、噴射範囲を狭めて側壁（ライナー）への噴霧の付着を防いでいる。また、二段目の噴射範囲を狭めることで、受け面１３７の形状を変更できるため、圧縮比を高めることもできる。
【００９０】
すなわち、マルチホール型インジェクタ１１の噴口１４０の二段目の数が減ることで、受け面１３７を平面視略Ｕ字状に形成することができるため、燃焼空間を減少することができるのである。
【００９１】
また、平面視略Ｕ字状で形成されることで、第二噴口１４０ｂから噴射される第二噴霧Ｇｂがこの受け面１３７に案内されて、凹状キャビティ３４に引き込まれやすくなる。
【００９２】
なお、この凹状キャビティ３４への引き込み力は、この実施形態でも、第一噴霧Ｇａの噴射によって生じる負圧である。
【００９３】
このように、この実施形態でも、前述の実施形態と同様に、第一噴霧Ｇａの噴射によって生じる負圧で、第二噴霧Ｇｂを凹状キャビティ３４に案内することができる。
【００９４】
よって、燃料噴射による噴霧ができるだけ点火プラグ１４の近傍に滞留するようにできるため、常に燃焼状態を安定させることができる。
【００９５】
また、この実施形態の場合には、ピストン６の受け面１３７の形状が、平面視略Ｕ字状であるため、エンジンＥの圧縮比を前述の実施形態よりも高めることができる。よって、エンジンの効率をさらに高めることができる。
【００９６】
以上、この発明の構成と前述の実施形態との対応において、
この発明のインジェクタは、実施形態のマルチホール型インジェクタ１１に対応して、
以下、同様に、
キャビティは、凹状キャビティ３４に対応し、
第１噴霧は、第一噴霧４０ａ，１４０ａに対応し、
第２噴霧は、第二噴霧４０ｂ，第三噴霧４０ｃ，第二噴霧１４０ｂに対応し、
ペントルーフ状の斜面は、受け面３７に対応し、
ガイド面は、内周面３５に対応し、
ガイド面側周縁は、反インジェクタ側上縁端３４ｂに対応し、
インジェクタ側周縁は、インジェクタ側上縁端３４ａに対応するも、
この発明は、前述の実施形態に限定されるものではなく、あらゆる火花点火式直噴エンジンに適用する実施形態を含むものである。
【図面の簡単な説明】
【００９７】
【図１】本発明を採用した実施形態の火花点火式直噴エンジンの概略構成図。
【図２】マルチホール型インジェクタとピストンと点火プラグの詳細構造を示した斜視図。
【図３】（ａ）ピストン冠面の平面図と（Ｂ）ピストン冠面のＡ−Ａ線矢視断面図。
【図４】エンジン冷間時の燃料噴射タイミングと点火タイミングのタイムチャート。
【図５】吸気行程での燃料噴射状態を示す側面図。
【図６】圧縮行程での燃料噴射状態を示す側面図。
【図７】（ａ）噴射直後の側面模試図、（ｂ）その後の側面模式図。
【図８】噴射状態を示した平面図。
【図９】３２５°ＣＡのシミュレーション図。
【図１０】３４０°ＣＡのシミュレーション図。
【図１１】３５０°ＣＡのシミュレーション図。
【図１２】３６０°ＣＡのシミュレーション図。
【図１３】３６０°ＣＡでの点火プラグ周りの混合気の空燃比（Ａ／Ｆ）の分布状態を示した図。
【図１４】３８０°ＣＡでの点火プラグ周りの混合気の空燃比（Ａ／Ｆ）の分布状態を示した図。
【図１５】他の実施形態の図２に対応する斜視図。
【符号の説明】
【００９８】
６…ピストン
１１…マルチホール型インジェクタ
１４…点火プラグ
３１…隆起部
３１ａ…傾斜面
３４…凹状キャビティ
３５…内周面（ガイド面）
３７，１３７…受け面
４０，１４０…噴口
Ｇ…噴霧
【図１】
2010024917.tif 000003
【図２】
2010024917.tif 000004
【図３】
2010024917.tif 000005
【図４】
2010024917.tif 000006
【図５】
2010024917.tif 000007
【図６】
2010024917.tif 000008
【図７】
2010024917.tif 000009
【図８】
2010024917.tif 000010
【図９】
2010024917.tif 000011
【図１０】
2010024917.tif 000012
【図１１】
2010024917.tif 000013
【図１２】
2010024917.tif 000014
【図１３】
2010024917.tif 000015
【図１４】
2010024917.tif 000016
【図１５】
2010024917.tif 000017